(57)【要約】【課題】ポイントカードを取り扱わない小売業者等において商品を購入した場合にもポイントを獲得できて、消費者の購買意欲を高めることができるサービス券付き商品、およびポイントサービスシステムを提供する。【解決手段】商品１１と、商品１１に着脱可能に添付されたポイントサービス券１０を備える。ポイントサービス券１０は、種々の付与ポイントの中から任意に選択された付与ポイントの情報が割り当てられた識別子が印刷されたもの、あるいは種々の付与ポイントの中から任意に選択された付与ポイントが印刷されて当該付与ポイントが消費者に視認できない態様で前記商品に添付されたものである。ポイントサービス券１０の識別子に割り当てられた付与ポイント、又はポイントサービス券１０に印刷された付与ポイントが、ポイントカード２で管理される累積ポイントに付与可能なポイントである。【選択図】図１
2016058001.tif 000002
【特許請求の範囲】
【請求項１】
商品と、
前記商品に着脱可能に添付されたポイントサービス券とを備え、
前記ポイントサービス券は、種々の付与ポイントの中から任意に選択された付与ポイントの情報が割り当てられた識別子が印刷されたもの、あるいは種々の付与ポイントの中から任意に選択された付与ポイントが印刷されて当該付与ポイントが消費者に視認できない態様で前記商品に添付されたものであり、前記ポイントサービス券の前記識別子に割り当てられた付与ポイント、又は前記ポイントサービス券に印刷された付与ポイントが、ポイントカードで管理される累積ポイントに付与可能なポイントであることを特徴とするサービス券付き商品。
【請求項２】
サービス券付き商品とポイントカードを用いたポイントサービスシステムであって、
前記サービス券付き商品は、
商品と、
この商品に着脱可能に添付され、種々の付与ポイントの中から任意に選択された付与ポイントの情報が割り当てられた識別子が印刷されたポイントサービス券とを備え、
前記ポイントサービスシステムは、
前記ポイントサービス券の識別子を読み取るためのサービス券読み取り手段と、
前記サービス券読み取り手段で読み取られた前記識別子の情報に基づいて、ポイントカードで管理されている累積ポイントに当該付与ポイントを付与するポイント付与手段とを備えたことを特徴とするポイントサービスシステム。
【請求項３】
前記ポイント付与手段によって前記付与ポイントを前記ポイントカードで管理されている累積ポイントに付与したとき、当該付与ポイントの情報をデータベースに記録するデータベースサーバを備えたことを特徴とする請求項２に記載のポイントサービスシステム。
【発明の詳細な説明】
【技術分野】
【０００１】
本発明はポイントサービスを受けられるサービス券付き商品、およびポイントサービスシステムに関する。
【背景技術】
【０００２】
特許文献１にはポイントカードを利用したポイントサービスシステムが開示されている。このポイントサービスシステムでは、消費者が商品を購入した際に、取引額に応じたポイントが、ポイントカードで管理されている累積ポイントに付与される。
【先行技術文献】
【特許文献】
【０００３】
【特許文献１】特許第５２６４６５８号公報
【発明の概要】
【発明が解決しようとする課題】
【０００４】
ところで、特許文献１に示すポイントサービスシステムは、消費者がポイントカードを取り扱う小売業者で商品を購入した時にポイントが付与されるものであり、例えば消費者がポイントカードを取り扱わない小売業者で商品を購入した場合にはポイントが付与されなかった。すなわち、消費者がポイントを獲得するにはポイントカードを取り扱う小売業者で商品を購入する必要があって煩わしく感じることがあり、また、このため、ポイント付与によって顧客を囲い込む効果も高くなかった。
【０００５】
本発明は前記事情に鑑みてなされたものであって、ポイントカードを取り扱わない小売業者等において商品を購入した場合にもポイントを獲得できて、消費者の購買意欲を高めることができるサービス券付き商品、およびポイントサービスシステムを提供することを目的とする。
【課題を解決するための手段】
【０００６】
本発明のサービス券付き商品は、商品と、前記商品に着脱可能に添付されたポイントサービス券とを備え、前記ポイントサービス券は、種々の付与ポイントの中から任意に選択された付与ポイントの情報が割り当てられた識別子が印刷されたもの、あるいは種々の付与ポイントの中から任意に選択された付与ポイントが印刷されて当該付与ポイントが消費者に視認できない態様で前記商品に添付されたものであり、前記ポイントサービス券の前記識別子に割り当てられた付与ポイント、又は前記ポイントサービス券に印刷された付与ポイントが、ポイントカードで管理される累積ポイントに付与可能なポイントであることを特徴とする。
【０００７】
また、本発明のポイントサービスシステムは、サービス券付き商品とポイントカードを用いたポイントサービスシステムであって、前記サービス券付き商品は、商品と、この商品に着脱可能に添付され、種々の付与ポイントの中から任意に選択された付与ポイントの情報が割り当てられた識別子が印刷されたポイントサービス券とを備え、前記ポイントサービスシステムは、前記ポイントサービス券の識別子を読み取るためのサービス券読み取り手段と、前記サービス券読み取り手段で読み取られた前記識別子の情報に基づいて、ポイントカードで管理されている累積ポイントに当該付与ポイントを付与するポイント付与手段とを備えたことを特徴とする。
【発明の効果】
【０００８】
本発明のサービス券付き商品にあっては、サービス券付き商品を購入した消費者は、ポイントサービス券に割り当てられた付与ポイントを、ポイントカードで管理される累積ポイントに付与できる。このため、消費者はポイントカードを取り扱わない小売業者等でサービス券付き商品を購入した場合にもポイントを獲得でき、購買意欲が高まる。
【０００９】
また、本発明のポイントサービスシステムにあっては、サービス券読み取り手段により、消費者が商品から取り外して持参したポイントサービス券の識別子を読み取り、この識別子に割り当てられたポイントをポイント付与手段によってポイントカードで管理されている累積ポイントに付与できる。このため、消費者はポイントカードを取り扱わない小売業者等でサービス券付き商品を購入した場合にもポイントを獲得することができる。また、消費者は小売業者にポイントサービス券を持参するだけで、ポイントカードで管理される累積ポイントに付与ポイントを簡単に付与できる。従って消費者の購買意欲を高めることができる。また、小売業者もポイントカードで管理される累積ポイントに付与ポイントを簡単に付与できる。
【図面の簡単な説明】
【００１０】
【図１】本発明の実施形態のサービス券付き商品の一例を示した斜視図である。
【図２】本発明の実施形態のサービス券付き商品の他例を示した斜視図である。
【図３】本発明の実施形態のサービス券付き商品のさらに他例を示した斜視図である。
【図４】本発明の実施形態のポイントサービスシステムの構成を示した図である。
【発明を実施するための形態】
【００１１】
以下、本発明の実施形態について、図面を参照しながら説明する。本実施形態のポイントサービスシステムは、図１〜図３に示すサービス券付き商品１と、図４に示すポイントカード２を用いたシステムである。このシステムではサービス券付き商品１が備えるポイントサービス券１０に割り当てられた付与ポイントをポイントカード２で管理された累積ポイントに付与でき、また、ポイントカード２で管理される累積ポイントを小売業者の保有する店舗３で利用できる。
【００１２】
なお、前記ポイントカード２で管理される累積ポイントとは、ポイントカード２が有する記録部２０（図４参照）に記録されたポイント、あるいはポイントカード２の情報を管理するデータベースサーバ４のデータベース４０に記録されたポイントのいずれであってもよいが、本実施形態では一例として前者を採用している。なお、前記累積ポイントは０Ｐである場合も含む。
【００１３】
サービス券付き商品１は、発売元業者（製造元業者を含む）から卸されて、ポイントカード２を取り扱う小売業者、およびポイントカード２を取り扱わない小売業者（自動販売機を含む）の両者で販売される。
【００１４】
サービス券付き商品１は、商品１１と、商品１１に添付されたポイントサービス券１０を備えている。本実施形態のサービス券付き商品１は、飲食物であり、図１〜図３に示すように、商品の外面を構成する容器１２と、容器１２内に収納された内容物（飲み物又は食べ物）を備えている。なお、容器１２の材質は、合成樹脂、金属、紙、ガラス等、いずれであってもよい。また、商品１１は飲食物に限られず、書籍や日用品、衣類等であってもよく、ポイントサービス券１０を添付できる物財であればよい。
【００１５】
ポイントサービス券１０は例えば財布等に入れて保管しやすいように図１に示すように円形（コイン状）に形成されている。なお、ポイントサービス券１０の形状は、図２や図３に示すように長方形状（正方形状含む）であってもよい。また、図示は省略するが、ポイントサービス券１０は円形や長方形以外の形状であってもよく、また、折りたたんだ状態で容器１２に添付されてもよい。
【００１６】
本実施形態のポイントサービス券１０には、識別子としてバーコードが印刷されている。なお、識別子はバーコードに限られず、２次元コード等のその他の識別子であってもよい。
【００１７】
ポイントサービス券１０に印刷された識別子には、付与ポイントの情報が割り当てられている。具体的に識別子には、種々の（複数種類ある）付与ポイントの中から任意に選択された１種類の付与ポイントの情報が割り当てられており、識別子に割り当てられた付与ポイントの情報は、商品１１毎に個別に決定されている。
【００１８】
すなわち、同一の商品１１であっても、添付されたポイントサービス券１０に割り当てられる付与ポイントは異なる場合がある。このため、商品１１を購入した消費者は、多くの付与ポイントが割り当てられたポイントサービス券１０を抽選のように期待感を持ちながら偶然に獲得できる。なお、ポイントサービス券１０の識別子が印刷された面には、付与ポイント（例えば付与ポイントを示すアラビア数字）が印刷されてもよい。
【００１９】
例えば前記識別子に付与する付与ポイントとしては、０Ｐ、１Ｐ、５０Ｐ、および１００００Ｐ等の４種類があり、この中から選択された任意の付与ポイントの情報が識別子に割り当てられる。なお、例示したように前記種々の付与ポイントには、ポイント数が０Ｐであるものも含まれるが、０Ｐを含まなくてもよい。
【００２０】
また、本実施形態のポイントサービス券１０の識別子には、当該ポイントサービス券１０を識別するためのサービス券識別情報（例えばサービス券を発行した販売元業者およびサービス券を識別するための情報）も割り当てられている。
【００２１】
ポイントサービス券１０は一例として図１〜図３に示すように容器１２の外面に着脱可能に添付されている。ここで、容器１２の外面とは、容器１２の上面（蓋の上面を含む）、容器１２の外周面、および容器１２の底面を含む。
【００２２】
具体的に図１および図２に示すポイントサービス券１０は、容器１２の外面と、この容器１２の外面に密接して固定された、熱収縮性フィルム（シュリンクフィルム）等の被覆材１３とで挟まれることで、容器１２の外面に添付されている。このポイントサービス券１０は、被覆材１３を破ることで容器１２から取り外すことができる。
【００２３】
なお、ポイントサービス券１０を商品１１の外面に着脱可能に添付する態様は、前記に限られるものではない。例えば図３に示すようにポイントサービス券１０を裏面に糊の付いたシールとして容器１２の外面に貼り付けたり、ポイントサービス券１０を入れた合成樹脂製の袋を接着剤を用いて容器１２の外面に貼り付けたりしてもよい。
【００２４】
また、ポイントサービス券１０は、前記識別子が印刷された面を容器１２の外面に向けた状態で容器１２に添付される。このため、ポイントサービス券１０が容器１２に添付された販売時においては、ポイントサービス券１０に印刷した識別子が露出せず、消費者はポイントサービス券１０に印刷された識別子を視認できない。
【００２５】
なお、ポイントサービス券１０に識別子または付与ポイント（アラビア数字等）のうち識別子のみが印刷される場合、消費者は識別子を見てもその内容を容易に把握することができないため、ポイントサービス券１０は識別子が印刷された面を容器１２の外面と反対側に向けて容器１２に添付されてもよい。
【００２６】
ポイントサービス券１０の識別子が印刷された面と反対側の面（表面）には、例えばポイントサービス券１０の使い方、発行者名、宣伝文、キャンペーン内容、およびメッセージ等から構成される表示が印刷される。なお、本実施形態で示した商品１１の態様は、容器１２を含まない商品にも代位できる。
【００２７】
図４に示す本実施形態のポイントサービスシステムに利用されるポイントカード２は、小売業者の各店舗３において商品（ポイントサービス券付き商品１のみならず、その他の商品も含む）を購入したときに、購入金額に応じてポイントを付与できるカードであり、この点は従来のポイントカードと同じである。加えて、本実施形態のポイントカード２は、ポイントサービス券１０の識別子に割り当てられた付与ポイントを、前記ポイントとして付与できるカードである。すなわち、本実施形態のポイントカード２には、各店舗３で商品を購入したときの購入金額に応じたポイントと、ポイントサービス券１０の識別子に割り当てられた付与ポイントとを、共通のポイントとして付与できるようになっている。なお、ポイントカード２は、付与ポイントを累積ポイントに付与する機能に加えて、クレジット機能等の他の機能を備えたカードであってよい。
【００２８】
ポイントカード２は、例えばポイントカード２を取り扱う小売業者の店舗３等において消費者がポイントカード会員に加入することで発行される。
【００２９】
ポイントカード２は読み書き可能な記録部２０を備えている。具体的に本実施形態のポイントカード２は磁気ストライプカードであって、記録部２０は磁気ストライプで構成されている。なお、ポイントカード２はＩＣカード（非接触型または接触型のいずれであってもよい）であってもよく、この場合はＩＣチップが記録部となる。
【００３０】
ポイントカード２の記録部２０には、カード識別情報と累積ポイントが記録されている。カード識別情報はポイントカード２毎に個別に設定されており、ポイントカード２毎に異なる。
【００３１】
累積ポイントはポイントカード２を取り扱う小売業者の各店舗３で利用可能なポイントであって、例えば各店舗３における値引きに利用できる。なお、累積ポイントは一定基準を設けることによるキャッシュバック、サービス券の発行、あるいは商品との交換等に利用されてもよい。
【００３２】
図４は本実施形態のポイントサービスシステムの構成を示す図である。本実施形態のポイントサービスシステムは、データベースサーバ４と、複数の店舗サーバ３０を備えている。
【００３３】
店舗サーバ３０はポイントカード２を取り扱う小売業者が所有する複数の店舗３の夫々に設置されている。各店舗サーバ３０は、例えば店舗３に設置されたＰＯＳ（Ｐｏｉｎｔ  Ｏｆ  Ｓａｌｅｓ）端末（キャッシュレジスター）に組み込まれる。各店舗３の店舗サーバ３０は、インターネット等のネットワーク５を介してデータベースサーバ４に接続される。
【００３４】
各店舗３には、店舗サーバ３０の他、カード読み書き手段３１およびサービス券読み取り手段３２が設置されている。各店舗３のカード読み書き手段３１とサービス券読み取り手段３２は、店舗サーバ３０に接続されている。
【００３５】
カード読み書き手段３１はカードリーダーライターであって、ポイントカード２の記録部２０に記録された情報を読み取るカード読み取り手段としての機能と、ポイントカード２の記録部２０に情報を書き込むカード書き込み手段としての機能の両者を有している。なお、カード読み取り手段とカード書き込み手段は個別に設けられてもよい。サービス券読み取り手段３２はバーコードリーダーであって、ポイントサービス券１０の識別子を読み取る。
【００３６】
消費者がポイントカード２を持参して各店舗３で商品（サービス券付き商品１およびその他の商品を含む）を購入した場合、当該店舗３の店舗サーバ３０は、カード読み書き手段３１で読み取られたポイントカード２の記録部２０の情報に基づき、当該ポイントカード２の記録部２０に記録された累積ポイントに、当該商品の購入額に応じたポイントを加算して新たな累積ポイントを演算し、この新たな累積ポイントの情報を、カード読み書き手段３１により当該ポイントカード２の記録部２０に書き込んで更新する。
【００３７】
また、消費者がポイントカード２とポイントサービス券１０を持参して各店舗３でポイントサービス券１０のポイントをポイントカード２に付与する場合、当該店舗３の店舗サーバ３０は、カード読み書き手段３１で読み取られたポイントカード２の記録部２０の情報と、サービス券読み取り手段３２で読み取られたポイントサービス券１０の識別子の情報とに基づき、当該ポイントカード２の記録部２０に記録された累積ポイントに、当該ポイントサービス券１０の識別子に割り当てられた付与ポイントを加算して新たな累積ポイントを演算し、この新たな累積ポイントの情報を、カード読み書き手段３１により当該ポイントカード２の記録部２０に書き込んで更新する。すなわち、本実施形態においては、店舗サーバ３０とカード読み書き手段３１とで、サービス券読み取り手段３２で読み取られた識別子の情報に基づいて、ポイントカード２で管理されている累積ポイントに付与ポイントを付与するポイント付与手段が構成されている。なお、サービス券１０により付与されたポイントと、前記商品購入時において購入金額に応じて付与されたポイントは、共通のポイントカード２で管理される累積ポイントに区別なく付与される。
【００３８】
また、消費者が各店舗３にポイントカード２を持参して当該ポイントカード２に付与されているポイントを利用する場合、当該店舗３の店舗サーバ３０は、カード読み書き手段３１で読み取られたポイントカード２の記録部２０の情報と、当該店舗３の商品（サービス券付き商品１およびその他の商品を含む）の取引時に利用されたポイントの情報とに基づき、当該ポイントカード２の記録部２０に記録された累積ポイントから、前記取引時に利用されたポイントを減算した新たな累積ポイントを演算し、この新たな累積ポイントの情報を、カード読み書き手段３１により当該ポイントカード２の記録部２０に書き込んで更新する。
【００３９】
また、各店舗３の店舗サーバ３０は、前記のように新たな累積ポイントをカード読み書き手段３１によりポイントカード２の記録部２０に書き込んで更新したとき（商品購入額に応じたポイントをポイントカード２にポイントを付与したとき、ポイントサービス券１０のポイントをポイントカード２に付与したとき、およびポイントカード２に付与されているポイントを利用したとき）、前記新たな累積ポイントの情報と、前記カード読み書き手段３１で読み取られたポイントカード２の記録部２０に記録されているカード識別情報とをネットワーク５を介してデータベースサーバ４に送信する。なお、前記商品購入額に応じたポイントをポイントカード２にポイントを付与したときと、ポイントサービス券１０のポイントをポイントカード２に付与したときときは、両者を区別するための情報を付加した上で、店舗サーバ３０から前記累積ポイントの情報とカード識別情報とがデータベース４に送信される。
【００４０】
ここで、前述のように消費者が各店舗３でポイントカード２を持参して商品を購入した際、当該店舗３の店舗サーバ３０は、前記新たな累積ポイントの情報と、前記カード読み書き手段３１で読み取られたポイントカード２の記録部２０に記録されているカード識別情報に加えて、当該取引時の購買状況をネットワーク５を介してデータベースサーバ４に送信することが好ましい。このようにすることで、従来のポイントカード２を利用したＰＯＳシステムと同様、消費者がポイントカード２を利用したときの購買状況をデータベースサーバ４のデータベース４０に記録でき、これにより小売業者や発売元業者はデータベース４０に記録された購買状況をポイントの利用状況と共に確認し、これを分析することで効果的な販売促進を行うことができる。
【００４１】
データベースサーバ４は例えばカード管理業者によって管理される。なお、データベースサーバ４は各店舗３を保有する小売業者、あるいはサービス券付き商品１の発売元業者によって管理されてもよい。
【００４２】
データベースサーバ４のデータベース４０には、登録されたポイントカード２のカード識別情報、このカード識別情報に対応する累積ポイント、および更新時間等が記録されている。
【００４３】
データベースサーバ４は各店舗３の店舗サーバ３０から送信された新たな累積ポイントの情報および当該新たな累積ポイントが記録されたポイントカード２のカード識別情報を、更新時間等と共に当該データベースサーバ４のデータベース４０に記録する。なお、前記商品購入額に応じたポイントをポイントカード２にポイントを付与したときと、ポイントサービス券１０のポイントをポイントカード２に付与したときときは、両者を区別するための情報と共に、前記新たな累積ポイントの情報および当該新たな累積ポイントが記録されたポイントカード２のカード識別情報とがデータベース４０に記録される。
【００４４】
データベースサーバ４には各店舗３を保有する小売業者およびサービス券付き商品１の発売元業者がネットワーク５を介してアクセスすることができる。このため、これら小売業者や発売元業者は、データベースサーバ４のデータベース４０に記録されたカード識別情報および累積ポイント等の情報を分析して効果的な販売促進を行うことができる。また、各店舗３を保有する小売業者は、データベース４０の更新されたカード識別情報および累積ポイントの情報に基づき、各店舗３においてポイントサービス券１０を用いてポイントカード２に付与されたポイントに応じた金額をサービス券付き商品１の発売元業者に対して請求できる。
【００４５】
ポイントサービス券１０に設定された付与ポイントは、例えば以下のようにしてポイントカード２で管理される累積ポイントに付与できる。
【００４６】
小売業者等からサービス券付き商品１を購入した消費者は、容器１２からポイントサービス券１０を取り外し、このポイントサービス券１０をポイントカード２を取り扱う小売業者の店舗３に持参し、このポイントサービス券１０を自身が所有するポイントカード２（ポイントカード２を所有していない場合は、ポイントカード会員に加入してポイントカード２を所有する）と共に小売業者に提出する。なお、消費者からポイントカード２を取り扱う小売業者に提出されるポイントサービス券１０の枚数は１枚の場合だけでなく、複数枚の場合もある。
【００４７】
小売業者はカード読み書き手段３１を用いて消費者から提出されたポイントカード２の記録部２０に記録された情報を読み取り、この後、サービス券読み取り手段３２を用いて前記消費者から提出されたポイントサービス券１０の識別子を読み取る。これにより、当該店舗３に設置された店舗サーバ３０は、前記カード読み書き手段３１で読み取られたポイントカード２の記録部２０の情報と、サービス券読み取り手段３２で読み取られたポイントサービス券１０の識別子の情報とに基づき、当該ポイントカード２の記録部２０に記録された累積ポイントに、当該ポイントサービス券１０の識別子に割り当てられた付与ポイントを加算して新たな累積ポイントを演算し、この新たな累積ポイントの情報を、カード読み書き手段３１により当該ポイントカード２の記録部２０に書き込んで更新する。同時に当該店舗サーバ３０は、前記新たな累積ポイントの情報と、前記カード読み書き手段３１で読み取られたポイントカード２の記録部２０に記録されているカード識別情報とをネットワーク５を介してデータベースサーバ４に送信する。これによりデータベースサーバ４は、当該店舗サーバ３０から送信された新たな累積ポイントの情報およびカード識別情報を更新時間等と共に当該データベースサーバ４のデータベース４０に記録する。また、各店舗３を保有する小売業者は、前記のようにポイントサービス券１０に設定された付与ポイントをポイントカード２に付与した後、当該付与したポイントに応じた金額をサービス券付き商品１の発売元業者に対して請求し、これに対して発売元業者はポイントカード２に付与されたポイントに応じた金額を小売業者に支払う。
【００４８】
ポイントカード２で管理された累積ポイントは、従来のポイントカード２と同様に、例えば以下のように利用される。消費者はポイントカード２を取り扱う小売業者の店舗３において商品（サービス券付き商品１だけでなくその他の商品も含む）の購入をするときに、ポイントカード２を当該店舗３に提出する。小売業者はカード読み書き手段３１を用いて消費者から提出されたポイントカード２の記録部２０に記録された情報を読み取る。店舗サーバ３０は、前記カード読み書き手段３１で読み取られたポイントカード２の記録部２０の情報と、当該商品の取引時に利用されたポイントの情報とに基づき、当該ポイントカード２の記録部２０に記録された累積ポイントから当該商品の取引時に利用されたポイントを減算した新たな累積ポイントを演算し、この新たな累積ポイントの情報を、カード読み書き手段３１により当該ポイントカード２の記録部２０に書き込んで更新する。同時に当該店舗サーバ３０は前記新たな累積ポイントの情報と、前記カード読み書き手段３１で読み取られたポイントカード２の記録部２０に記録されているカード識別情報とをネットワーク５を介してデータベースサーバ４に送信する。これによりデータベースサーバ４は、当該店舗サーバ３０から送信された新たな累積ポイントの情報およびカード識別情報を更新時間等と共に当該データベースサーバ４のデータベース４０に記録する。
【００４９】
以上説明した本実施形態のサービス券付き商品１は、以下に示す特徴を有している。商品１１と、商品１１に着脱可能に添付されたポイントサービス券１０を備える。ポイントサービス券１０は、種々の付与ポイントの中から任意に選択された付与ポイントの情報が割り当てられた識別子が印刷されたものである。ポイントサービス券１０の識別子に割り当てられた付与ポイント、又はポイントサービス券１０に印刷された付与ポイントが、ポイントカード２で管理される累積ポイントに付与可能なポイントである。
【００５０】
この特徴を有するサービス券付き商品１にあっては、サービス券付き商品１を購入した消費者は、商品１１から取り外したポイントサービス券１０の識別子に割り当てられた付与ポイントを、ポイントカード２で管理される累積ポイントに付与できる。このため、消費者はポイントカード２を取り扱わない小売業者等でサービス券付き商品１を購入した場合にもポイントを獲得することができ、購買意欲が高まる。また、サービス券付き商品１を購入した消費者は、高い付与ポイントが割り当てられたポイントサービス券１０を抽選のように期待感を持ちながら偶然に獲得でき、この点でも購買意欲が高まる。従って、サービス券付き商品１の販売を促進できる。
【００５１】
また、従来、商品に貼り付けられたサービス券を発売元業者に郵送したり、商品に貼り付けられた紙片に記されたシリアルナンバーをインターネットを通じて発売元業者に送ったりすることで、発売元業者から消費者に対してサービスや特典を適用することが行われているが、このサービスや特典の内容は発売元業者が決めるもので消費者が求めるものと一致しない場合があった。また、商品に貼り付けられたサービス券を発売元業者に郵送することは手間がかかり、商品に貼り付けられた紙片に記されたシリアルナンバーをインターネットを通じて発売元業者に送るには、消費者はインターネットを利用する必要があった。
【００５２】
これに対して本実施形態のサービス券付き商品１にあっては、消費者はポイントカード２を取り扱う小売業者にポイントカード２を提示することで、ポイントサービス券１０でポイントカード２に付与したポイントを利用して、小売業者において消費者の好む商品の値引きや交換等のサービスを受けることができる。また、消費者はポイントカード２を取り扱うコンビニエンスストア等の近くの小売業者の店舗３にポイントサービス券１０とポイントカード２を持参するだけで、ポイントサービス券１０に割り当てられたポイントを簡単に付与でき、この場合、インターネットを利用する必要もない。また、本実施形態のように小売業者が商品の購入時に購入金額に応じてポイントカード２にポイントを付与するサービスを行う場合には、消費者は商品の購入金額に応じたポイントと、ポイントサービス券１０のポイントとを２重に所得でき、消費者の購買意欲を一層高めることができる。
【００５３】
また、本実施形態のポイントサービスシステムは、以下に示す特徴を有している。サービス券付き商品１とポイントカード２を用いたポイントサービスシステムである。サービス券付き商品１は、商品１１と、商品１１に着脱可能に添付され、種々の付与ポイントの中から任意に選択された付与ポイントの情報が割り当てられた識別子が印刷されたポイントサービス券１０とを備える。ポイントサービスシステムは、ポイントサービス券１０の識別子を読み取るためのサービス券読み取り手段３２と、サービス券読み取り手段３２で読み取られた識別子の情報に基づいて、ポイントカード２で管理されている累積ポイントに付与ポイントを付与するポイント付与手段とを備える。
【００５４】
この特徴を有するポイントサービスシステムにあっては、消費者が持参したポイントサービス券１０の識別子をサービス券読み取り手段３２で読み取り、ポイント付与手段によって消費者が持参したポイントカード２で管理されている累積ポイントに付与ポイントを付与できる。従って、小売業者はポイントカード２で管理される累積ポイントに付与ポイントを簡単に付与できる。
【００５５】
また、本実施形態のポイントサービスシステムは、以下に示す特徴を有している。ポイントサービスシステムは、ポイント付与手段によって付与ポイントをポイントカード２で管理されている累積ポイントに付与したとき、当該付与ポイントの情報をデータベース４０に記録するデータベースサーバ４を備える。
【００５６】
この特徴を有するポイントサービスシステムにあっては、ポイントサービス券１０の付与ポイントをポイントカード２に付与した小売業者は、データベースサーバ４によりデータベース４０に記録された当該付与ポイントの情報を参照することで、当該付与ポイントに応じた金額をサービス券付き商品１の発売元業者に請求できる。従って、消費者が当該ポイントサービス券１０で付与されたポイントを小売業者で利用した場合にも、小売業者は損害を生じることがなく販売の利益を受けることができる。
【００５７】
ここで、本実施形態では、ポイントサービス券１０を付与ポイントの情報が割り当てられた識別子が印刷されたものとしたが、ポイントサービス券１０は種々の付与ポイントの中から任意に選択された付与ポイント（例えば付与ポイントを示すアラビア数字）が前記識別子に代わって印刷されてもよい。
【００５８】
なお、この場合、ポイントサービス券１０は消費者が視認できないように付与ポイントが印刷された面を商品１１側に向けた状態で商品１１に添付される。
【００５９】
また、この場合、例えば以下のようにポイントカード２により管理される累積ポイントに付与ポイントが付与される。すなわち、消費者によってポイントサービス券１０とポイントカード２が小売業者に提出された場合、小売業者はポイントサービス券１０に記された付与ポイントを目視により確認し、この確認した付与ポイントを店舗サーバ３０に入力する。これにより、店舗サーバ３０は、ポイントカード２の記録部２０に記録された累積ポイントに、当該ポイントサービス券１０に記された付与ポイントを加算して得られた新たな累積ポイントの情報を、カード読み書き手段３１により当該ポイントカード２の記録部２０に書き込んで更新する。
【００６０】
また、本実施形態では、各店舗３において、店舗サーバ３０、サービス券読み取り手段３２、およびカード読み書き手段３１の３者により、ポイントカード２で管理される累積ポイントへの付与ポイントの付与と、ポイントカード２で管理されるポイントを利用したときの処理の両者を行うようにしたが、ポイントカード２で管理される累積ポイントへの付与ポイントの付与するための装置と、ポイントカード２で管理されるポイントを利用したときの処理を行うための装置とを個別に設けてもよい。  また、この他、本実施形態は本発明の趣旨を逸脱しない範囲で適宜設計変更可能である。
【符号の説明】
【００６１】
１  サービス券付き商品
１０  ポイントサービス券
１１  商品
２  ポイントカード
３０  店舗サーバ
３１  カード読み書き手段
３２  サービス券読み取り手段
【図１】
2016058001.tif 000003
【図２】
2016058001.tif 000004
【図３】
2016058001.tif 000005
【図４】
2016058001.tif 000006